(57)【要約】      （修正有）【課題】移動体が異なるセグメント間を移動した場合でも通信を可能とする簡易なシステム構成で移動体通信ネットワークを提供する。【解決手段】移動体１０内に存在する移動セグメント１０Ａと地上に配置された２以上の固定セグメント１２Ａ、１２Ｂが同一のアドレス体系で構成される移動体通信ネットワークであって、２以上の固定セグメント１２Ａ、１２Ｂそれぞれは、インターネット網Ｘにアクセス可能な固定側ゲートウェイ１４Ａ、１４Ｂと、少なくとも１以上のアクセスポイント１６Ａ〜１６Ｆとを備え、固定側ゲートウェイ１４Ａ、１４Ｂの固定セグメント側のＩＰアドレスはいずれも同一に設定されている。移動セグメント１０Ａは、１以上のクライアント端末２０Ａ、２０Ｂを含み、アクセスポイント１６Ａ〜１６Ｆと通信可能であるとともに、固定側ゲートウェイ１４Ａ、１４ＢのＭＡＣアドレスデータベース２１と、ＭＡＣアドレス登録部２３とを備えている。【選択図】図１
2006140916.tif 000002
【特許請求の範囲】
【請求項１】
移動体内に存在する移動セグメントと、地上に配置された２以上の固定セグメントと、を備え、前記移動セグメントと前記２以上の固定セグメントが同一のアドレス体系で構成される移動体通信ネットワークであって、
前記２以上の固定セグメントのそれぞれは、インターネット網にアクセス可能な固定側ゲートウェイと、該固定側ゲートウェイに接続され、前記移動セグメントと通信可能な少なくとも１以上のアクセスポイントと、を備え、前記２以上の固定セグメントそれぞれの前記固定側ゲートウェイの前記固定セグメント側のＩＰアドレスは、いずれも同一に設定されており、
前記移動セグメントは、前記移動体内に存する１以上のクライアント端末とアクセス可能な移動側ゲートウェイと、該移動側ゲートウェイに接続され、前記アク        セスポイントと通信可能な送受信部と、を備え、
前記移動側ゲートウェイは、そのデフォルトゲートウェイのＩＰアドレスを前記固定側ゲートウェイのＩＰアドレスとし、前記固定側ゲートウェイのＩＰアドレスに対応した固定側ゲートウェイのＭＡＣアドレスを認識するとともに、その認識したＭＡＣアドレスを前記移動側ゲートウェイのデフォルトゲートウェイのＭＡＣアドレスとして使用し、これにより、前記固定側ゲートウェイを介して前記クライアント端末を前記インターネット網にアクセス可能にすることを特徴とする移動体通信ネットワーク。
【請求項２】
前記移動セグメントは、少なくとも前記固定側ゲートウェイのＭＡＣアドレス及び固定セグメント側のＩＰアドレスをそれぞれ対応させて記憶するＭＡＣアドレスデータベースと、前記送受信部が通信可能なアクセスポイントが属する固定セグメントの固定側ゲートウェイのＭＡＣアドレスを前記ＭＡＣアドレスデータベースに基づいて登録可能なＭＡＣアドレス登録部と、をさらに備え、
前記移動側ゲートウェイは、前記ＭＡＣアドレス登録部に基づいて前記固定側ゲートウェイのＭＡＣアドレスを認識するよう構成されていることを特徴とする請求項１記載の移動体通信ネットワーク。
【請求項３】
移動体内に存在する移動セグメントと、地上に配置された２以上の固定セグメントと、を備え、前記移動セグメントと前記２以上の固定セグメントが同一のアドレス体系で構成される移動体通信ネットワークであって、
前記２以上の固定セグメントそれぞれは、インターネット網にアクセス可能な固定側ゲートウェイと、該固定側ゲートウェイに接続され、前記移動セグメントと通信可能な少なくとも１以上のアクセスポイントと、を備え、前記２以上の固定セグメントそれぞれの前記固定側ゲートウェイの前記固定セグメント側のＩＰアドレスは、いずれも同一に設定されており、
前記移動セグメントは、前記移動体内に存する１以上のクライアント端末とアクセス可能であり、前記アクセスポイントと通信可能な送受信部と、を備え、
前記送受信部とアクセス可能なクライアント端末は、そのデフォルトゲートウェイのＩＰアドレスを前記固定側ゲートウェイのＩＰアドレスと設定され、前記固定側ゲートウェイのＩＰアドレスに対応した固定側ゲートウエイのＭＡＣアドレスを認識するとともに、その認識したＭＡＣアドレスを前記送受信部とアクセス可能なクライアント端末のデフォルトゲートウェイのＭＡＣアドレスとして使用し、これにより、前記固定側ゲートウェイを介して前記クライアント端末を前記インターネット網にアクセス可能にすることを特徴とする移動体通信ネットワーク。
【請求項４】
前記移動セグメントは、少なくとも前記固定側ゲートウェイのＭＡＣアドレス及び固定セグメント側のＩＰアドレスをそれぞれ対応させて記憶するＭＡＣアドレスデータベースと、前記送受信部が通信可能なアクセスポイントが属する固定セグメントの固定側ゲートウェイのＭＡＣアドレスを前記ＭＡＣアドレスデータベースに基づいて登録可能なＭＡＣアドレス登録部と、をさらに備え、
前記送受信部とアクセス可能なクライアント端末は、前記ＭＡＣアドレス登録部に基づいて前記固定側ゲートウェイのＭＡＣアドレスを認識するよう構成されていることを特徴とする請求項３記載の移動体通信ネットワーク。
【請求項５】
前記アクセスポイントは、前記移動体の予め定まった移動経路に沿って配置されていることを特徴とする請求項１乃至４いずれか記載の移動体通信ネットワーク。
【請求項６】
前記移動体が通信可能なアクセスポイント又はそれが属する固定セグメントに関する情報を前記移動体の位置情報として格納するとともに、前記インターネットに接続された位置情報管理部をさらに備え、
前記送受信部は、認識した送信可能なアクセスポイントに関する情報を前記位置情報管理部に送信し、
前記位置情報管理部は、受信したアクセスポイントに関する情報に基づいて前記移動体の位置情報を格納することを特徴とする請求項１乃至５のいずれかに記載の移動体通信ネットワーク。
【請求項７】
前記移動セグメントへ向けたインターネット網からの通信アクセスのためのＩＰアドレスを前記移動体の位置に関する情報として格納する位置情報管理部をさらに備え、
該位置情報管理部は、移動体が属する固定セグメントの前記固定側ゲートウェイ及びアクセスポイントを介して前記移動側ゲートウェイ又は前記送受信部とアクセス可能なクライアント端末に通信確認のための要求信号を送信し、
前記移動側ゲートウェイ又は前記送受信部とアクセス可能なクライアント端末は、該通信確認のための要求信号を受信すると、前記位置情報管理部へ向けて通信可能な応答信号を返信し、
前記位置情報管理部は、該応答信号を受信すると、その応答信号に基づいて前記移動セグメントへ向けたインターネット網からの通信アクセスのためのＩＰアドレスを格納することを特徴とする請求項１乃至５いずれか記載の移動体通信ネットワーク。
【発明の詳細な説明】
【技術分野】
【０００１】
本発明は、自動車、列車、船舶及び航空機などの移動体内に存するクライアント端末をインターネットにアクセス可能にする移動体通信ネットワークに関する。
【背景技術】
【０００２】
インターネットにおける移動体通信において、従来技術として例えば異なるサブネットを移動する移動通信端末に対して、ＩＰ通信を継続させる方式として、ＩＥＴＦの標準勧告ＲＦＣ２００２で規定されたモバイルＩＰ（Ｍｏｂｉｌｅ ＩＰ）がある。
【０００３】
モバイルＩＰは、移動通信端末がネットワーク上の任意のサブネットに接続している場合でも、通信相手となるホストからは、移動通信端末が本来所属しているネットワーク(ホームネットワーク)に接続しているように見せる方式である。
【０００４】
図５を用いて、モバイルＩＰの動作の一例を説明する。図５において、移動通信端末（Ｍｏｂｉｌｅ Ｎｏｄｅ：以下、ＭＮと略称する）５０は、ネットワーク間を移動する移動通信端末である。また、通信先ノード（Ｃｏｒｒｅｓｐｏｎｄｅｎｔ Ｎｏｄｅ：以下、ＣＮと略称する）５２は、ＭＮ５０の通信相手となるホストである。ＭＮ５０が本来所属しているホームネットワーク５４では、ホームエージェント（Ｈｏｍｅ Ａｇｅｎｔ:以下、ＨＡと略称する）５６がＭＮ５０の通信を管理する。また、ＭＮ５０が現在一時的に訪問している訪問先ネットワーク（サブネット）５８では、外部エージェント（Ｆｏｒｅｉｇｎ Ａｇｅｎｔ：以下、ＦＡと略称する）６０がＭＮ５０の通信を管理する。また、ＭＮ５０が次に訪問するネットワーク（サブネット）６２では、外部エージェント（ＦＡ）６４がＭＮ５０の通信を管理する。
【０００５】
ＩＰネットワーク６６は、これらをつなぐ中継網となるネットワークである。ＭＮ５０が、訪問先ネットワーク５８に接続しているときには、ＨＡ５６は、ＭＮ５０が、現在どのネットワークを訪問しているかを示す位置情報と、その訪問先ネットワーク５８を管理するＦＡ６０の情報(ＦＡのＩＰアドレス)を保持し、ＭＮ５０宛のＩＰパケットを受信できるように自らのネットワークインタフェースを設定する。
【０００６】
ＣＮ５２がＭＮ５０宛に送信したＩＰパケットがホームネットワーク５４に到着すると、ＨＡ５６は、そのパケットをＭＮ５０の代りに受取り、ＭＮ５０が現在訪問している訪問先ネットワーク５８宛に転送する。この時、ＨＡ５６はＣＮ５２からのＩＰパケットを、ＦＡ６０宛のＩＰパケットにカプセル化し、配信する。ＦＡ６０は、このカプセル化されたパケットを受取ると、もとのＭＮ５０宛のＩＰパケットを取出し、ＭＮ５０に配送する。
【０００７】
一方、ＭＮ５０からＣＮ５２宛にＩＰパケットを送信する場合には、ＭＮ５０本来のアドレスを用いて直接に送信する。これにより、ＭＮ５０とＣＮ５２は、ＭＮ５０がネットワークを移動していることを意識せずに通信することが可能になる。また、ＦＡ６０の機能をＭＮ５０自身が備える形態もあり、このとき、ＭＮ５０は、訪問先ネットワーク５８で使用できるアドレスを、移動の度に取得して使用する。
【０００８】
さらに、ＭＮ５０が、他の訪問先ネットワーク６２に移動したときには、ＭＮ５０は、その他の訪問先ネットワーク６２を管理するＦＡ６４を経由し、自分が移動したことをＦＡ６４のアドレス情報と共にＨＡ５６まで通知する。ＨＡ５６は、ＣＮ５２からＭＮ５０宛のパケットを受信すると、カプセル化してＦＡ６４に転送し、ＦＡ６４は、転送されてきたパケットをＭＮ５０に配送する。このようにして、ＭＮ５０は訪問先ネットワークを移動しながら、通信を継続することができる（特許文献１の従来技術参照）。
【０００９】
【特許文献１】特開２００１―２７４８３４号公報
【発明の開示】
【発明が解決しようとする課題】
【００１０】
しかしながら、従来のモバイルＩＰを用いた技術は、その通信プロトコルなどを実現するために、ＨＡやＦＡのようなモバイルルータなど特別な装置又は特別なソフトウエアを必要とし、システムが複雑になる。このため、システム全体としてのネットワーク負荷の増大や信頼性の低下あるいはセキュリティ管理の複雑化を招き、システムを実現するための費用が増加するという問題がある。
【００１１】
そこで、本発明では、移動体が異なるセグメント間を移動した場合であっても移動体とインターネットとの通信を可能とする簡易な構成による移動体通信ネットワークを提供することを目的とする。
【課題を解決するための手段】
【００１２】
以上の目的を達成するため、本発明は、移動体内に存在する移動セグメントと、地上に配置された２以上の固定セグメントと、を備え、前記移動セグメントと前記２以上の固定セグメントが同一のアドレス体系で構成される移動体通信ネットワークであって、前記２以上の固定セグメントそれぞれは、インターネット網にアクセス可能な固定側ゲートウェイと、該固定側ゲートウェイに接続され、前記移動セグメントと通信可能な少なくとも１以上のアクセスポイントと、を備え、前記２以上の固定セグメントそれぞれの前記固定側ゲートウェイの前記固定セグメント側のＩＰアドレスは、いずれも同一に設定されており、前記移動セグメントは、前記移動体内に存する１以上のクライアント端末とアクセス可能な移動側ゲートウェイと、該移動側ゲートウェイに接続され、前記アクセスポイントと通信可能な送受信部と、を備え、前記移動側ゲートウェイは、そのデフォルトゲートウェイのＩＰアドレスを前記固定側ゲートウェイのＩＰアドレスとし、前記固定側ゲートウェイのＩＰアドレスに対応した固定側ゲートウェイのＭＡＣアドレスを認識するとともに、その認識したＭＡＣアドレスを前記移動側ゲートウェイのデフォルトゲートウェイのＭＡＣアドレスとして使用し、これにより、前記固定側ゲートウェイを介して前記クライアント端末を前記インターネット網にアクセス可能にすることを特徴とする。
【００１３】
また、本発明は、移動体内に存在する移動セグメントと、地上に配置された２以上の固定セグメントと、を備え、前記移動セグメントと前記２以上の固定セグメントが同一のアドレス体系で構成される移動体通信ネットワークであって、前記２以上の固定セグメントのそれぞれは、インターネット網にアクセス可能な固定側ゲートウェイと、該固定側ゲートウェイに接続され、前記移動セグメントと通信可能な少なくとも１以上のアクセスポイントと、を備え、前記２以上の固定セグメントそれぞれの前記固定側ゲートウェイの前記固定セグメント側のＩＰアドレスは、いずれも同一に設定されており、前記移動セグメントは、前記移動体内に存する１以上のクライアント端末とアクセス可能であり、前記アクセスポイントと通信可能な送受信部と、を備え、前記送受信部とアクセス可能なクライアント端末は、そのデフォルトゲートウェイのＩＰアドレスを前記固定側ゲートウェイのＩＰアドレスと設定され、前記固定側ゲートウェイのＩＰアドレスに対応した固定側ゲートウェイのＭＡＣアドレスを認識するとともに、その認識したＭＡＣアドレスを前記送受信部とアクセス可能なクライアント端末のデフォルトゲートウェイのＭＡＣアドレスとして使用し、これにより、前記固定側ゲートウェイを介して前記クライアント端末を前記インターネット網にアクセス可能にすることを特徴とする。
【００１４】
以上のように、本発明に係る移動体通信によれば、前記固定セグメントの固定側ゲートウェイのＩＰアドレスを同一に設定するとともに、前記移動側ゲートウェイ又は前記送受信部とアクセス可能なクライアント端末のデフォルトゲートウェイのＩＰアドレスをその同一とされた前記固定セグメントの固定側ゲートウェイのＩＰアドレスとしたので、前記移動体が移動することにより、移動側セグメントの送受信部が通信可能なアクセスポイントが変わったとしても、移動側ゲートウェイ又は前記送受信部とアクセス可能なクライアント端末は、あたかも同一の固定側ゲートウェイに転送しているのと同様な動作を行なうことができる。これにより、移動体内に存するクライアント端末を固定側ゲートウェイを介してインターネット網に接続させることができる。
【００１５】
本発明に係る移動体通信ネットワークにおいて、前記移動セグメントは、少なくとも前記固定側ゲートウェイのＭＡＣアドレス及び固定セグメント側のＩＰアドレスをそれぞれ対応させて記憶するＭＡＣアドレスデータベースと、前記送受信部が通信可能なアクセスポイントが属する固定セグメントの固定側ゲートウェイのＭＡＣアドレスを前記ＭＡＣアドレスデータベースに基づいて登録可能なＭＡＣアドレス登録部と、をさらに備え、   前記移動側ゲートウェイ又は前記送受信部とアクセス可能なクライアント端末は、前記ＭＡＣアドレス登録部に基づいて前記固定側ゲートウェイのＭＡＣアドレスを認識するよう構成されていることが好ましく、前記送受信部は、前記通信可能な前記アクセスポイントを認識可能に構成されており、前記ＭＡＣアドレスデータベースは、前記１以上のアクセスポイントに関する情報をそれが属する固定セグメントの前記固定側ゲートウェイのＭＡＣアドレスに少なくとも対応させて記憶し、前記移動側ゲートウェイ又は前記送受信部とアクセス可能なクライアント端末は、前記送受信部によって認識された通信可能なアクセスポイントに関する情報に基づいて前記固定側ゲートウェイのＭＡＣアドレスを認識するように構成されていることがさらに好ましい。また、前記アクセスポイントは、前記移動体の予め定まった移動経路に沿って配置されていることが好ましい。
【００１６】
また、本発明に係る移動体通信ネットワークは、前記移動体が通信可能なアクセスポイント又はそれが属する固定セグメントに関する情報を前記移動体の位置情報として格納するとともに、前記インターネットに接続された位置情報管理部をさらに備え、前記送受信部は、認識した送信可能なアクセスポイントに関する情報を前記位置情報管理部に送信し、前記位置情報管理部は、受信したアクセスポイントに関する情報に基づいて前記移動体の位置情報を格納するよう構成されていることが好ましく、さらに前記位置情報管理部は、前記移動体の位置情報を格納するよう構成されていることが好ましい。
【００１７】
本発明に係る移動体通信ネットワークは、このように位置情報管理部にアクセスすることによって、移動体の位置情報を取得することできる。取得した移動体の位置情報は、移動体の位置情報を把握、管理する用途のほか、インターネットから移動体への通信の際必要となる宛先ＩＰアドレスを特定するため利用することができる。
【００１８】
さらに、本発明に係る移動体通信ネットワークは、前記移動セグメントへ向けたインターネット網からの通信アクセスのためのＩＰアドレスを前記移動体の位置に関する情報として格納する位置情報管理部をさらに備え、該位置情報管理部は、移動体が属する固定セグメントの前記固定側ゲートウェイ及びアクセスポイントを介して前記移動側ゲートウェイ又は前記送受信部とアクセス可能なクライアント端末に通信確認のための要求信号を送信し、前記移動側ゲートウェイ又は前記送受信部とアクセス可能なクライアント端末は、該通信確認のための要求信号を受信すると、前記位置情報管理部へ向けて通信可能な応答信号を返信し、前記位置情報管理部は、該応答信号を受信すると、その応答信号に基づいて前記移動セグメントへ向けたインターネット網からの通信アクセスのためのＩＰアドレスを格納するよう構成されていることが好ましい。
【００１９】
本発明に係る移動体通信ネットワークは、以上説明したように、従来のモバイルＩＰを用いた技術のように、モバイルルータなど特別な装置や通信プロトコルを必要とせず、移動体が異なるセグメント間を移動した場合であっても、移動体とインターネットとの通信を可能とする簡易な構成の移動体通信ネットワークを提供することが可能となり、以下のような効果を奏することができる。
【００２０】
すなわち、本発明に係る移動体通信ネットワークの通信は、装置の移動を伴わない一般のインターネット通信において従来から広く利用されている一般的なＩＰプロトコルのみの組み合わせにより実現される。そのため、移動体通信を実現するための移動体通信専用の装置や移動体通信のための特別な通信プロトコルを特に必要とせず、システム実現が極めて容易である。
【００２１】
本発明の構成による移動体通信ネットワークは、従来のモバイルＩＰやＩＰｖ６のアドレス空間を駆使した移動体通信方式のシステムと比べて、システムを簡素に実現でき、かつシステム構成が複雑でないため、信頼性のある移動体通信を実現することができる。
【００２２】
本発明に係る移動体通信ネットワークは、特に一般の旅客事業や貨物事業での自動車、列車、船舶、航空機などのように、あらかじめ運行経路や運行時刻などの運行形態がスケジュールされている移動体内に存するクライアント端末からインターネットにアクセスさせる場合、又は、例えば自家用自動車であっても、高速道路を走行中の自動車のように、容易にその移動先が予測され、規定される移動体内に存するクライアント端末からインターネットにアクセスさせる場合に有効である。
【００２３】
また、本発明の構成による移動体通信ネットワークシステムは、その無線系システムの切り替え応答時間に起因する、数百ミリ秒から１ないし２，３数秒程度の時間幅のパケット欠落時間、つまりパケットが送受信不可能となり再送信判断を行う時間幅を許容できるインターネット上でのアプリケーションに有効である。具体的なアプリケーションとしては、インターネットアクセスにおける、Ｗｅｂサーバクセスやメールサーバへのアクセスであり、実用上ほとんどユーザには影響を与えることはない。また、連続的に送受信するパケットデータ等であっても、アプリケーション層でデータバッファを設けるなどの対策が施されているので、本発明に係る移動体通信ネットワークシステムであっても実用的な通信が可能である。
【発明の効果】
【００２４】
以上のように本発明によれば、従来のモバイルＩＰを用いた技術のように、モバイルルータなど特別な装置や通信プロトコルを必要とせず、移動体が異なるセグメント間を移動した場合であっても移動体とインターネットとの通信を可能とする簡易な構成による移動体通信ネットワークを提供することができる。
【発明を実施するための形態】
【００２５】
次に本発明に係る移動体通信ネットワークの実施例について図面に基づいて説明する。図１は、本実施例に係る移動体通信ネットワーク構成の概念図である。本実施例に係る移動体通信ネットワークは、移動体１０が例えば列車である場合、その列車内移動体１０である列車内に存するクライアント端末２０Ａ、２０Ｂ・・・をグローバルＩＰアドレス空間で構成されるＩＰネットワークであるインターネットＸにアクセスさせるものであり、移動体１０に配置された移動セグメント１０Ａと、地上に配置された２以上の固定セグメント１２Ａ、１２Ｂ・・・と、インターネットＸ上に設けられ、移動体１０の位置情報やインターネットＸから移動セグメント１０Ａにアクセスする場合の宛先アドレスを格納する位置情報サーバ３０と、を備えている。移動体１０内には、移動セグメント１０Ａの他に、クライアント端末２０Ａ、２０Ｂ・・が存するとともに、移動セグメント１０Ａにアクセス可能なユーザセグメント１０Ｂが設けられている。
【００２６】
移動セグメント１０Ａと２以上の固定セグメント１２Ａ、１２Ｂ・・・は、同一のアドレス体系とする共通のサブネットで構成されるプライベートＩＰアドレス空間で構成されており、本実施例においては、１９２．１６８．１／２４が割り当てられている。インターネットＸのＩＰアドレスは、公的または準公的に存在するＩＰアドレス管理団体において管理され、通常インターネット接続サービスプロバイダー（ＩＳＰ）を介してインターネット網において重複しない固定的なＩＰアドレスとして個々に指定され、接続されるが、移動セグメント１０と２以上の固定セグメント１２Ａ、１２Ｂ・・・によって構成されるプライベートＩＰアドレス空間のＩＰアドレスは、本実施例に係る移動体通信ネットワークの通信システム運用者がそのシステム運用指針に従い、自由にＩＰアドレスを決定することができる。なお、インターネットＸ上には、少なくともクライアント端末２０Ａ及び２０Ｂが通信対象としてアクセス可能なＷｅｂサーバ２８及び一般ユーザ端末２９が存在している。これら固定セグメント１２Ａ、１２Ｂ・・・、位置情報サーバ３０、Ｗｅｂサーバ２８及び一般ユーザ端末２９の通信は、光ファイバーやメタル線等の有線通信又は各種無線通信によりグローバルＩＰアドレスを使って行われる。
【００２７】
各固定セグメント１２Ａ、１２Ｂ・・・それぞれは、同一の構成からなる。固定セグメント１２Ａは、インターネットＸにアクセス可能な第１ゲートウェイ（以下、「第１ＧＷ」という）１４Ａと、第１ＧＷ１４Ａに接続され移動セグメント１０と通信可能な第１乃至第３アクセスポイント（以下、それぞれ「第１ＡＰ」乃至「第３ＡＰ」という）１６Ａ、１６Ｂ、１６Ｃと、少なくとも第１乃至第３ＡＰ１６Ａ、１６Ｂ、１６Ｃを制御する第１制御部１８Ａと、を備えている。同様に固定セグメント１２Ｂのそれぞれを、第２ＧＷ１４Ｂ、第４乃至第６ＡＰ１６Ｄ、１６Ｅ、１６Ｆ、並びに第２制御部１８Ｂとする。
【００２８】
第１ＧＷ１４Ａ及び第２ＧＷ１４Ｂは、移動セグメント１０ＡにおけるプライベートなＩＰアドレスをグローバルなＩＰアドレスに変換する動的ＩＰマスカレード（ＮＡＰＴ）としての機能と、グローバルなＩＰアドレスをプライベートなＩＰアドレスに変換させるための静的ＩＰマスカレード機能またはマルチＮＡＴ機能と、を有する。第１ＧＷ１４Ａ及び第２ＧＷ１４ＢのＬＡＮ側、すなわちサブネット側のＩＰアドレスは、前述のようにプライベートＩＰアドレス空間であるので、本実施例に係る通信システム運用者が自由にＩＰアドレスを決定することができる。本実施例に係る移動体通信ネットワークにおいて、第１ＧＷ１４Ａ及び第２ＧＷ１４Ｂは、いずれも同一のプライベートＩＰアドレス１９２．１６８．１．２５１が付されており、後述するようにこれにより移動セグメント１０ＡからのインターネットＸへのＩＰ通信を簡易に実現することができる。第１ＧＷ１４Ａ及び第２ＧＷ１４ＢのプライベートＩＰアドレスの通信ポートには、ゲートウェイ装置製造時にそれぞれ重複のないように物理的に書き込まれた、それぞれ異なるシリアル番号がＭＡＣアドレスと称して付与されている。一方、第１ＧＷ１４Ａ及び第２ＧＷ１４ＢのＷＡＮ側、すなわちインターネットＸ側のグローバルＩＰアドレスとして、それぞれ２０１．２０２．２０４．１２と２０１．２０２．２０５．１３といった異なるグローバルＩＰアドレスがＩＳＰからそれぞれ指定され、付与されている。
【００２９】
第１制御部１８Ａ及び第２制御部１８Ｂそれぞれには、後述する移動セグメント１０Ａに存する移動側ＧＷ２２のＩＰアドレス１９２．１６８．２．２１１及びそのＭＡＣアドレスをフィールドとするＭＡＣアドレスデータベース（ＤＢ）１９Ａ及び１９Ｂが接続されている。また、第１ＧＷ１４Ａ及び第２ＧＷ１４Ｂそれぞれには、アクセス可能な移動体１０の移動側ＧＷ２２のＩＰアドレス１９２．１６８．１．２１１とそのＭＡＣアドレスを対応させて登録されているＡＲＰテーブル１７Ａ、１７Ｂが備えられており、これらＡＲＰテーブル１７Ａ、１７Ｂに登録されたＭＡＣアドレスは、移動体１０の移動に伴い、後述するように常に最新のものに更新される。第１制御部１８Ａ及び第２制御部１８Ｂ、並びに第１乃至第６ＡＰ１６Ａ乃至１６Ｆそれぞれに個別のプライベートＩＰアドレスが付されている。第１乃至第６ＡＰ１６Ａ乃至１６Ｆは、移動体１０が移動する方向に沿って、移動体１０が移動中にいずれかのＡＰと通信可能になるように配置されている。なお、第１制御部１８Ａと、第１ＧＷ１４Ａ、第２ＡＰ１６Ｂ及びＭＡＣアドレスＤＢ１９Ａは、有線によって接続されているが、第２ＡＰ１６Ｂと、第１ＡＰ１６Ａ及び第３ＡＰ１６Ｂは、無線によって接続されている。同様に第２制御部１８Ｂと、第２ＧＷ１４Ｂ、第５ＡＰ１６Ｅ及びＭＡＣアドレスＤＢ１９Ｂは、有線によって接続されているが、第５ＡＰ１６Ｅと、第４ＡＰ１６Ｄ及び第６ＡＰ１６Ｆは、無線によって接続されている。
【００３０】
移動セグメント１０Ａは、ユーザセグメント１０Ｂに存するクライアント端末２０Ａ、２０Ｂ・・・と無線によってアクセス可能な移動側ゲートウェイ（ＧＷ）２２と、移動側ＧＷ２２に接続され、第１乃至第６ＡＰ１６Ａ乃至１６Ｆと通信可能な送受信部２４と、送受信部２４などの動作を制御する移動側制御部２６と、を備えている。移動側制御部２６には、第１ＧＷ１４Ａ及び第２ＧＷ１４ＢそれぞれのプライベートＩＰアドレス及びＭＡＣアドレスをフィールドとしたＭＡＣアドレスデータベース（ＤＢ）２１が接続されている。本実施の形態では、第１ＧＷ１４Ａ及び第２ＧＷ１４Ｂでそれぞれ同一なプライベートＩＰアドレス１９２．１６８．１．２５１及びそれぞれ異なるＭＡＣアドレスをフィールドとしたレコードが存在し、ＡＰの識別情報も格納されている。また、移動側ＧＷ２２には、その移動セグメント側のデフォルトゲートウェイのＩＰアドレスとして、第１ＧＷ１４Ａ及び第２ＧＷ１４Ｂそれぞれにおいて共通なＩＰアドレスである１９２．１６８．１．２５１が設定されている。さらに、移動側ＧＷ２２には、デフォルトゲートウェイのＩＰアドレス１９２．１６８．１．２５１とアクセス可能な第１ＧＷ１４Ａ又は第２ＧＷ１４ＢのＭＡＣアドレスを対応させて登録されているＡＲＰテーブル２３が備えられており、このＡＲＰテーブル２３に登録されたＭＡＣアドレスは、移動体１０の移動に伴い、後述するように常に最新のものに更新される。
【００３１】
ユーザセグメント１０Ｂには、クライアント端末２０Ａ、２０Ｂ・・・が存在し、移動側ＧＷ２２と無線により接続されている。ユーザセグメント１０Ｂのアドレス空間は、移動セグメント１０Ａや２以上の固定セグメント１２Ａ、１２Ｂ・・・などにおいて共通のサブネットで構成されるプライベートＩＰアドレス空間とは異なるプライベートＩＰアドレス空間で構成され、１９２．１６８．２／２４が割り当てられている。移動側ＧＷ２２においては、２つの異なるプライベートＩＰアドレス空間、すなわち、本実施例に係る通信ネットワークにおいては、１９２．１６８．２／２４と１９２．１６８．１／２４間という２種類の異なるサブネットを双方向にルーチングする機能が設定されている。また、移動側ＧＷ２２のユーザセグメント側のＩＰアドレスには１９２．１６８．２．２１１が設定されており、クライアント端末２０Ａ，２０Ｂ・・・にはデフォルトＧＷとして移動側ＧＷ２２のユーザセグメント側のＩＰアドレスである１９２．１６８．２．２１１が設定されている。
【００３２】
次に、本実施例に係る移動体通信ネットワークの動作について説明する。先ず、移動体１０のユーザセグメント１０Ｂに存するクライアント端末２０ＡからインターネットＸに接続されたＷｅｂサーバ２８にパケットを送信する場合について図２に示すシーケンスフローに基づいて説明する。最初に、移動体１０の送受信部２４が第３ＡＰ１６Ｃと通信可能な領域に存在している場合について説明する。先ず始めに、移動側制御部２６は、送受信部２４に向け帰属するアクセスポイントを認識するための要求信号を送信する（Ｓ１００）。その要求信号に基づいて送受信部２４は、自己が帰属し通信可能なアクセスポイントを特定するため帰属するアクセスポイントを認識する。送受信部２４から周辺のアクセスポイント、例えば、第３ＡＰ１６Ｃ宛およびその周辺の電波が届く可能性のある第２ＡＰＳ１６Ｂ宛および第４ＡＰＳ１６Ｄ宛へ、通信開始要求信号を送信する（Ｓ１０２）。送受信部２４からの通信開始要求信号を受信した各アクセスポイントは、送受信部２４宛に通信開始応答信号を返信する（Ｓ１０４）。送受信部２４は、あらかじめ送受信部２４の機能として定められた通信相手のアクセスポイントを選択決定するアルゴリズムに従い帰属するＡＰを決定する。一般には電波受信レベルが強く良好な通信状態が確保できるＡＰを選択し、これにより帰属するアクセスポイントの識別情報を取得する。図１においては、送受信部２４が第３ＡＰ１６Ｃに帰属している状況を実線で示しており、送受信部２４は、識別信号の具体的な内容として、第３ＡＰ１６Ｃに帰属しているという情報を取得する。
【００３３】
次に、送受信部２４は、移動側制御部２６に向けて、帰属するアクセスポイントを認識するための要求信号に対する応答信号を返信する（Ｓ１０６）。この信号には受信した帰属する第３ＡＰ１６Ｃの識別情報が含まれている。移動側制御部２６は、ＭＡＣアドレスＤＢ２１を用いて、上記応答信号に含まれる第３ＡＰ１６Ｃの識別情報から、それが属する第１固定セグメントの第１ＧＷ１４ＡのＩＰアドレス１９２．１６８．１．２５１とそのＭＡＣアドレスに関する情報を抽出し、そのＭＡＣアドレス情報を移動側ＧＷ２２のＡＲＰテーブル２３に登録させる（Ｓ１０８）。一方、第１制御部１８Ａは、第１ＧＷ１４Ａに対し、ＭＡＣアドレスＤＢ１９Ａを用いて移動側ＧＷ２２のＩＰアドレス１９２．１６８．１．２１１とそのＭＡＣアドレスに関する情報を抽出し、そのＭＡＣアドレス情報を第１ＧＷ１４ＡのＡＲＰテーブル１７Ａに登録させる（Ｓ１１０）。
【００３４】
これらステップ１００〜１１０の動作は、一定周期ごとに行なわれる。これらステップの具体的な繰り返し周期は、移動体の移動速度や地上に配置される第１ＡＰから第６ＡＰの配置距離の間隔、あるいは無線通信系のシステム応答時間などにより最適に決定されるが、主として無線通信系のシステムの切り替え応答時間など物理的に避けられない要因により支配され、実用的には数百ミリ秒から数秒程度の時間間隔である。
【００３５】
このようにステップ１００〜１１０の動作は、一定周期ごとに行なわれるので、移動体１０が、その送受信部２４が第４ＡＰ１６Ｄと通信可能な領域に移動した場合は、同様に以下のように動作する。移動側制御部２６は、送受信部２４に向け帰属するアクセスポイントを認識するための要求信号を出す（Ｓ１００）。その要求信号に基づいて送受信部２４は、第４ＡＰ１６Ｄに帰属しているという情報を獲得する（Ｓ１０２´及びＳ１０４´）。送受信部２４は移動側制御部２６に向けて、帰属するアクセスポイントを認識するための要求信号に対する応答信号を返信する（Ｓ１０６´）。この信号には、受信した帰属する第４ＡＰ１６Ｄの識別情報が含まれている。移動側制御部２６は、ＭＡＣアドレスＤＢ２１を用いて、上記応答信号に含まれる第４ＡＰ１６Ｄの識別情報から、それが属する第２固定セグメントの第２ＧＷ１４ＢのＩＰアドレス１９２．１６８．１．２５１とそのＭＡＣアドレスに関する情報を抽出し、そのＭＡＣアドレス情報を移動側ＧＷ２２のＡＲＰテーブル２３に登録させる（Ｓ１０８´）。一方、第２制御部１８Ｂは、第２ＧＷ１４Ｂに対し、ＭＡＣアドレスＤＢ１９Ｂを用いて移動側ＧＷ２２のＩＰアドレス１９２．１６８．１．２１１とそのＭＡＣアドレスに関する情報を抽出し、そのＭＡＣアドレス情報を第２ＧＷ１４ＢのＡＲＰテーブル１７Ｂに登録させる（Ｓ１１０´）。よって、移動側ＧＷ２２には、常に通信可能なＡＰが属する固定セグメントのＧＷのＭＡＣアドレスが格納されており、また固定セグメントのＧＷには、それが属する固定セグメントのＡＰが接続可能な移動側ＧＷ２２のＭＡＣアドレスが常に格納されている。
【００３６】
よって、移動側ＧＷ２２には、常に通信可能なＡＰが属する固定セグメントのＧＷのＭＡＣアドレスが格納されており、また固定セグメントのＧＷには、それが属する固定セグメントのＡＰが接続可能な移動側ＧＷ２２のＭＡＣアドレスが常に格納されている。そして、これらのＭＡＣアドレスは、常に数百ミリ秒から数秒程度の時間間隔で通信路を確保するための最新のデータに更新されている。移動体１０の送受信部２４が第３ＡＰ１６Ｃから第４ＡＰ１６Ｄに無線接続を切り替える時間は、その無線通信系のシステム応答時間などに依存するが、ここでは一般的なＩＰ通信のパケット再送信のためのタイマー時間などを考慮すると、数百ミリ秒から１ないし２、３数秒程度の時間であると考えられる。すなわち、本発明に係る移動体通信ネットワークにおいては、無線通信系のシステムの切り替え応答時間など物理的に避けられない要因により発生する、数百ミリ秒から１ないし２，３数秒程度の時間幅のパケット欠落時間、つまりパケットが送受信不可能となり再送信判断を行う時間幅は存在する。しかし、この時間幅は、Ｗｅｂサーバクセスやメールサーバへのアクセスなど通常のインターネットアクセスにおいては、実用上ほとんどユーザに影響を与えることがない。また連続的に送受信するパケットデータ等であっても、アプリケーション層でデータバッファを設けるなどの対策が施されているので、実用的な通信を行う点では問題ない。
【００３７】
仮に、上述のステップ１００〜１１０の動作が行なわれることができない場合、速やかな通信路確保ができない。一例として、移動体１０が移動し、第３ＡＰ１６Ｃから第４ＡＰ１６Ｄに無線接続を切り替えた場合、すなわち移動側ＧＷ２２において、通信可能なＡＰが属する第２固定セグメント１２Ｂの第２ＧＷ１４ＢのＭＡＣアドレスが格納されない（Ｓ１０８´がない）場合を考える。移動側ＧＷ２２から第２固定セグメント１２Ｂの第２ＧＷ１４Ｂ宛に送信されたパケットは、送受信部２４が第４ＡＰ１６Ｄに帰属していても、宛先プライベートＩＰアドレスは１９２．１６８．１．２５１となっており、宛先ＭＡＣアドレスが第１ＧＷ１４ＡのＭＡＣアドレスのままであるが、第２固定セグメント１２Ｂにパケット送信される。第２固定セグメント１２Ｂ内に届いたパケットは、宛先プライベートＩＰアドレス１９２．１６８．１．２５１であるため、第２ＧＷ１４Ｂに向かうように思えるが、このパケットは宛先ＭＡＣアドレスへユニキャスト通信で伝えられる。このため、第２固定セグメント１２Ｂ内には、第１ＧＷ１４ＡのＭＡＣアドレスは存在しないので、第２ＧＷ１４Ｂにそのパケットは伝わらず破棄される。このような宛先ＩＰアドレスと宛先ＭＡＣアドレスの食い違いに起因する、通信不能となる状態は「ネットワークブラックフォール」と呼ばれ、ネットワークに送信されたパケットは破棄されているのに、送信側はそのことに直ぐには気付かない。送信側が、その状態に気付くのは、ＴＣＰ接続やその他のセッション関連のトラフィック中断によりタイムアウトになるまでである。タイムアウト時間は、ＩＰ通信のアプリケーションや途中経路のシステムタイムアウト時間により異なるが、一般には数十秒から数百秒、具体的な例ではＡＲＰテーブル２３のダイナミックキャッシュのタイムアウトは、標準で１２０秒となっている。すなわち、移動側ＧＷ２２において、送受信部２４が第４ＡＰ１６Ｄに帰属しても、少なくともＡＲＰテーブル２３のダイナミックキャッシュがタイムアウトする１２０秒間は、移動側ＧＷ２２から第２ＧＷ１４Ｂ宛に送信されたパケットは破棄される。あるいは、ＡＲＰテーブル２３のアドレス１９２．１６８．１．２５１がスタティックキャッシュの場合（Ｓ１０８のステップ）、ＡＲＰテーブル２３は、タイムアウトされることなく、移動側ＧＷ２２から第２ＧＷ１４Ｂ宛に送信されたパケットは常に破棄されることになる。
【００３８】
次に、移動体１０がその送受信部２４が第３ＡＰ１６Ｃと通信可能な領域に存する場合に、ＩＰアドレス１９２．１６８．２．２４５であるクライアント端末２０Ａが、インターネットＸに接続されたＷｅｂサーバ２８のＩＰアドレスを宛先とするパケットを形成して、移動側ＧＷ２２に送信すると（Ｓ１１２）、先ず、その送信されたパケットは、移動側ＧＷ２２のユーザセグメント側通信ポートのアドレス１９２．１６８．２．２１１宛に届けられ、移動側ＧＷ２２のルーチング機能により、移動側ＧＷ２２の移動セグメント側通信ポートのアドレス１９２．１６８．１．２１１にルーチングされ、かつ移動側ＧＷ２２の移動セグメント側のデフォルトゲートウェイのＩＰアドレスが、１９２．１６８．１．２５１と設定されているので、ＩＰアドレス１９２．１６８．２．２４５であるクライアント端末２０Ａからのパケットは、アドレス１９２．１６８．１．２５１宛に送信される。この際、移動側ＧＷ２２のＡＲＰテーブルには、第１ＧＷ１４ＡのＭＡＣアドレスが格納されているので、送信されるパケットは、第１ＧＷ１４Ａに向かって送信され、移動側ＧＷ２２→移動側制御部２６→送受信部２４→第３ＡＰ１６Ｃ→第２ＡＰ１６Ｂ→第１制御部１８Ａ→第１ＧＷ１４Ａと転送される（Ｓ１１４）。第１ＧＷ１４に到達したパケットは、第１ＧＷ１４Ａが有する、移動セグメント１０ＡのプライベートＩＰアドレスをインターネット側のグローバルＩＰアドレスに変換する動的ＩＰマスカレード（ＮＡＰＴ）の機能を作用させてルーチング処理が行なわれ、インターネットＸに送信され、Ｗｅｂサーバ２８に到達する（Ｓ１１６）。これにより、移動体１０内のクライアント端末２０ＡからインターネットＸに接続されたＷｅｂサーバ２８に向けてパケットの送信を行うことができる。また、逆に、第１ＧＷ１４ＡのＡＲＰテーブル１７Ａに移動側ＧＷのＭＡＣアドレスが登録されているので、移動体１０の送受信部２４が第１固定セグメント１２Ａの第１ＡＰ乃至第３ＡＰ１６Ａ乃至１６Ｃと通信できる領域内に移動体１０が存する限り、クライアント端末２０Ａは、Ｗｅｂサーバ２８からの逆方向のパケットを第１ＧＷ１４Ａ→第１制御部１８Ａ→第２ＡＰ１６Ｂ→第３ＡＰ１６Ｃ→送受信部２４→移動側制御部２６→移動側ＧＷ２２と転送させることにより受信することができる。
【００３９】
送受信部２４が第４ＡＰ１６Ｄと通信可能な領域に移動体１０が移動した場合、送信されるパケットは、移動側ＧＷ２２→移動側制御部２６→送受信部２４→第４ＡＰ１６Ｄ→第５ＡＰ１６Ｅ→第２制御部１８Ｂ→第２ＧＷ１４Ｂと転送され、その後、インターネットＸに送信され、Ｗｅｂサーバ２８に到達する。
【００４０】
また、上述のように移動側制御部２６は、ステップ１０６において送受信部２４からの応答信号を受信するが、この信号には受信した帰属する第３ＡＰ１６Ｃの識別情報が含まれている。そこで移動制御部２６は、移動体１０が帰属するアクセスポイントを示す第３ＡＰ１６Ｃの識別情報を、インターネットＸの中に存する位置情報サーバ３０のＩＰアドレス２０１．２０２．２０６．１４を宛先とする列車位置情報パケットを作成して、そのパケットを第１ＧＷ１４Ａを介して位置情報サーバ３０に転送する（Ｓ１２０）。位置情報サーバ３０は、列車位置情報パケットを受信すると、第３ＡＰ１６Ｃと通信可能な領域を移動体１０の位置情報として格納し、利用者は、その位置情報サーバ３０にアクセスすることによって、移動体の位置情報を取得することができる。取得した移動体１０の位置情報は、移動体の位置情報を把握、管理する用途のほか、インターネットＸから移動体１０のユーザセグメント１０Ｂに存するクライアント端末２０Ａ、２０Ｂ・・・への通信の宛先ＩＰアドレスやインターネットＸから移動体１０の移動セグメントに存するＩＰ機器への通信の宛先ＩＰアドレスとして利用することができる。
【００４１】
次に、インターネットＸに接続された一般ユーザ端末２９から移動体１０のユーザセグメント１０Ｂに存するクライアント端末２０Ａ宛にパケットを送信する場合の動作について、図３に示すシーケンスフローに基づいて説明する。先ず、上述したように一定周期毎にステップ１００〜１１０を行なうことによって、移動側ＧＷ２２のＡＲＰテーブルに第１ＧＷ１４ＡのＭＡＣアドレスが登録され、第１ＧＷ１４Ａに移動側ＧＷ２２のＭＡＣアドレスが登録されているものとする。位置情報サーバ３０は、一定周期毎に第１ＧＷ１４ＡのグローバルなＩＰアドレス２０１．２０２．２０４．１２宛にＩＣＭＰエコー要求パケットを送信する（Ｓ２００）。第１ＧＷ１４Ａは、ＩＣＭＰエコー要求パケットを受信すると、静的ＩＰマスカレード機能またはマルチＮＡＴ機能に基づいて、グローバルなＩＰアドレスをプライベートなＩＰアドレスに変換することにより、２０１．２０２．２０４．１２宛に到達したＩＣＭＰエコー要求パケットの宛先を移動側ＧＷ２２のアドレス１９２．１６８．１．２１１宛に変換して送信する（Ｓ２０２）。移動側ＧＷ２２は、第１ＧＷ１４Ａから届いたＩＣＭＰエコー要求パケットを受信すると、ＩＣＭＰエコー応答パケットを第１ＧＷ１４Ａに返信する（Ｓ２０４）。第１ＧＷ１４Ａは、移動側ＧＷ２２からのＩＣＭＰエコー応答パケットを受信すると、第１ＧＷ１４Ａが有する静的ＩＰマスカレード機能またはマルチＮＡＴ機能の動作により利用位置情報サーバ３０宛にＩＣＭＰエコー応答パケットを送信する（Ｓ２０６）。位置情報サーバ３０は、第１ＧＷ１４ＡからのＩＣＭＰエコー応答パケットの受信により、現時点での移動体１０の存在位置が第１固定セグメント１２Ａの第１乃至第３ＡＰ１６Ａ〜１６Ｃと通信可能な領域にあるとして、その時点におけるインターネットＸから移動側ＧＷ２２へアクセスするアドレスとして第１ＧＷ１４ＡのグローバルＩＰアドレスまたは第１ＧＷ１４ＡのグローバルＩＰアドレス側に割り当てられたサブネット内のＩＰアドレスを格納する。ＩＣＭＰエコー応答パケットを受信できない場合、移動体１０は固定セグメント１２Ａに存在しないことが分かる。よって、位置情報サーバ３０は、複数の固定セグメントのＧＷ宛にＩＣＭＰエコー要求パケットを送信し、受信したＩＣＭＰエコー応答パケットの送信元グローバルＩＰアドレスを確認することで、移動体１０の位置が特定できる。ＩＣＭＰエコー要求パケットの送信範囲は、例えば、移動体が列車の場合、現在時刻によっておおよその位置が特定できるため、周辺の固定セグメントに対し送信することで、無用なパケット送信を防ぐことができる。
【００４２】
この条件のもとに、インターネットＸ内の一般ユーザ端末２９は、移動体１０のクライアント端末２０Ａへアクセスすることが可能となる。そのアクセス手順としては、一般ユーザ端末２９が位置情報サーバ３０より現時点での移動体へのグローバルな宛先ＩＰアドレスを取得し、そのアドレス宛にパケットを送信することにより、通信が可能となる。
【００４３】
本実施例においては、位置情報サーバ３０から、一定周期で第１ＧＷ１４ＡのグローバルなＩＰアドレス２０１．２０２．２０４．１２宛にＩＣＭＰエコー要求パケットを送信して、第１ＧＷ１４ＡのグローバルＩＰからのＩＣＭＰエコー応答パケットが返信されることにより、移動体の位置を特定して、宛先ＩＰアドレスを格納している。しかし、本実施例で説明したＩＣＭＰエコー要求とＩＣＭＰエコー応答の組み合わせ以外にも、同様な要求信号と回答信号を併せ持つＩＰ通信プロトコルならば、どれを採用してもよい。例えば、移動側制御部２６が位置情報サーバ３０に登録したＡＰの情報を利用してクライアント端末２０の位置情報、すなわち移動体の位置を特定し、通信を行うことも可能である。
【００４４】
以上のように、本発明に係る移動体通信ネットワークにおいて、第１ＡＰ乃至第６ＡＰ１６Ａ乃至１６Ｆと送受信部２４を一般的な無線方法によって通信する場合について説明したが、これに限定されず、例えば無線ＬＡＮによって通信しても良い。例えば、第１ＡＰから第６ＡＰは、それぞれ一定周期毎に自局ＡＰ固有の識別情報をビーコン電波に挿入して送信しており、送受信部２４は、それらビーコン電波を定期的に受信し、あらかじめ送受信部２４の機能として定められた帰属ＡＰを選択決定するアルゴリズムに従い帰属するＡＰを決定し、帰属するアクセスポイントの識別情報を取得する。この場合、ステップ１０２の動作が不要となる。
【００４５】
また、本実施例に係る移動体通信ネットワークにおいては、第１固定セグメント１２Ａ内の第２ＡＰ１６Ｂと、第１ＡＰ１６Ａ及び第３ＡＰ１６Ｂは、無線でなくとも、第１ＡＰ１６Ａ及び第３ＡＰ１６Ｂの配置場所の状況により、有線と無線の組み合わせによって実現してもよい。同様に第２固定セグメント１２Ｂ内の第５ＡＰ１６Ｅと、第４ＡＰ１６Ｄ及び第６ＡＰ１６Ｆは、無線でなくとも第４ＡＰ１６Ｄ及び第６ＡＰ１６Ｆの配置場所の状況により、有線と無線の組み合わせによって実現してもよい。
【００４６】
さらに、本実施例に係る移動体通信ネットワークにおいては、ユーザセグメント１０Ｂにはクライアント端末２０Ａ，２０Ｂ・・・が存在し、移動側ＧＷ２２と無線で接続されているが、移動体１０の種類やクライアント端末の数やその装置の多様性、ユーザサービスとしての多様性などを考慮して、移動側ＧＷ２２と無線で接続される方法に限定されることなく、有線と無線の組み合わせで実現してもよい。
【００４７】
またさらに、本実施例に係る移動体通信ネットワークにおいては、移動体１０の種類やクライアント端末の数やその装置の多様性、ユーザサービスとしての多様性などを考慮して、移動体１０におけるユーザセグメント１０Ｂを省略しても良い。図４にクライアント端末２０Ａが移動セグメント１０Ａ内に存在し、移動側制御部２６と接続されているものを示す。クライアント端末２０Ａは、移動セグメント内に存するため、そのプライベートＩＰアドレスは１９２．１６８．１．２４５が付されている。この移動体通信ネットワークは、クライアント端末２０Ａが上記実施例の移動側ＧＷ２２の役割を果たすことにより、同様に動作することができる。このため、クライアント端末２０Ａは、そのデフォルトＧＷとして第１ＧＷ１４Ａ及び第２ＧＷ１４Ｂの共有のＩＰアドレスである１９２．１６８．１．２５１を設定しており、ＡＲＰテーブル３３と接続されている。
【００４８】
また、本実施例に係る移動体通信ネットワークにおいては、移動体が一つの場合について説明したが、複数の移動体であっても同時に同様に動作することができる。また、複数のクライアント端末であっても、同時に同様に動作することができる。
【図面の簡単な説明】
【００４９】
【図１】本発明に係る移動体通信ネットワークの実施例の概念図である。
【図２】本実施例に係る移動体通信ネットワークにおいて、移動体内のクライアント端末２０Ａからインターネットに接続されたＷｅｂサーバ２８にパケット送信する場合、移動体の位置情報をインターネットに接続された位置情報サーバにパケット送信する場合の動作を示すシーケンスフローである。
【図３】本実施例に係る移動体通信ネットワークにおいて、インターネットに接続された一般ユーザ端末２９から移動体内のクライアント端末２０Ａにパケットを送信する場合の動作を示すシーケンスフローである。
【図４】本発明に係る移動体通信ネットワークの他の実施例の概念図である。
【図５】従来のモバイルＩＰ技術を構成するネットワークの概念図である。
【符号の説明】
【００５０】
１０   移動体
１０Ａ  移動セグメント
１０Ｂ  ユーザセグメント
１２Ａ、１２Ｂ       固定セグメント
１４Ａ、１４Ｂ       第１ＧＷ、第２ＧＷ
１６Ａ〜１６Ｆ       第１ＡＰ乃至第６ＡＰ
１７Ａ，１７Ｂ       ＡＲＰテーブル
１８Ａ、１８Ｂ       第１制御部、第２制御部
１９Ａ，１９Ｂ       ＭＡＣアドレスＤＢ
２０Ａ、２０Ｂ       クライアント端末
２１   ＭＡＣアドレスＤＢ
２２   移動側ＧＷ
２３   ＡＲＰテーブル
２４   送受信部
２６   移動側制御部
２８   Ｗｅｂサーバ
２９   一般ユーザ端末
３０   位置情報サーバ
Ｘ     インターネット
３３   ＡＲＰテーブル
【図１】
2006140916.tif 000003
【図２】
2006140916.tif 000004
【図３】
2006140916.tif 000005
【図４】
2006140916.tif 000006
【図５】
2006140916.tif 000007